(57)【要約】  本発明の実施形態はアンテナおよび通信装置を提供する。本発明のアンテナは複数のアンテナユニット（１０１）を含む。各アンテナユニット（１０１）は複数のアンテナ分岐（１０２）と１つの給電分岐（１０３）とを含む。同じアンテナユニット（１０１）の異なるアンテナ分岐（１０２）は異なる周波数帯域に対応する。複数のアンテナユニット（１０１）には少なくとも１つのアンテナユニットペアが存在する。各アンテナユニットペアの２つのアンテナユニット（１０１）間の距離は第１のプリセット距離より小さい。同じ周波数帯域に対応する各アンテナユニットペアのアンテナ分岐（１０２）の放射方向は異なる。本発明によれば、アンテナのアンテナユニット間のアイソレーションを高めることができる。
2019500807.tif 000002
【特許請求の範囲】
【請求項１】
複数のアンテナユニットを有し、各アンテナユニットは複数のアンテナ分岐と１つの給電分岐とを有し、前記複数のアンテナ分岐はすべて前記給電分岐に接続され、同じアンテナユニットの異なるアンテナ分岐は異なる周波数帯域に対応し、
前記複数のアンテナユニットには少なくとも１つのアンテナユニットペアが存在し、各アンテナユニットペアの２つのアンテナユニット間の距離は第１のプリセット距離より小さく、同じ周波数帯域に対応する各アンテナユニットペアのアンテナ分岐の放射方向は異なる、
アンテナ。
【請求項２】
前記アンテナはさらに基板を有し、前記基板は第１の面を有し、前記複数のアンテナユニットは前記第１の面のエッジ位置にある、請求項１に記載のアンテナ。
【請求項３】
前記アンテナはさらに接地板を有し、前記基板はさらに第２の面を有し、前記第２の面は前記第１の面に平行であり、前記接地板は前記第２の面上にあり、
前記給電分岐の一端は給電点を有し、他端は接地点を有し、すべての前記アンテナユニットの接地点は前記接地板に接続される、
請求項２に記載のアンテナ。
【請求項４】
前記接地板は各アンテナユニットのクリアランス領域を有し、
各アンテナユニットの前記クリアランス領域は前記接地板上の前記アンテナユニットの投影領域にある、請求項３に記載のアンテナ。
【請求項５】
前記接地板上の各アンテナユニットの投影方向を垂直方向として用い、各アンテナユニットの給電分岐の、前記アンテナ分岐から遠い境界と、前記アンテナユニットの前記クリアランス領域の境界との間の最小水平距離は０であり、各アンテナユニットの前記アンテナ分岐の、前記給電点に近い境界と、前記アンテナユニットの前記クリアランス領域の境界との間の最小水平距離はλ／５０であり、λは各アンテナユニットに対応する最低周波数帯域の最低周波数に対応する波長である、
請求項４に記載のアンテナ。
【請求項６】
前記複数のアンテナユニットの２つの隣接するアンテナユニットの接地点間の距離がλ／１２以下である場合、前記接地板は前記２つの隣接するアンテナユニットの間の分離領域に対応するクリアランス領域をさらに有し、前記分離領域に対応する前記クリアランス領域は、前記接地板上の前記分離領域の投影領域である、
請求項５に記載のアンテナ。
【請求項７】
アンテナを有し、
前記アンテナは複数のアンテナユニットを有し、各アンテナユニットは複数のアンテナ分岐と１つの給電分岐とを有し、前記複数のアンテナ分岐はすべて前記給電分岐に接続され、同じアンテナユニットの異なるアンテナ分岐は異なる周波数帯域に対応し、前記複数のアンテナユニットには少なくとも１つのアンテナユニットペアが存在し、各アンテナユニットペア２つのアンテナユニット間の距離は第１のプリセット距離より小さく、同じ周波数帯域に対応する各アンテナユニットペアのアンテナ分岐の放射方向は異なる、
通信装置。
【請求項８】
無線周波数処理ユニットとベースバンド処理ユニットとをさらに有し、前記ベースバンド処理ユニットは前記無線周波数処理ユニットを用いて前記給電分岐に接続され、
前記アンテナは、受信された無線信号を前記無線周波数処理ユニットに送信し、または前記無線周波数処理ユニットが送信した信号を電磁波に変換し、前記電磁波を送出するように構成され、
前記無線周波数処理ユニットは、前記アンテナにより受信された前記無線信号に対して周波数選択、増幅、およびダウンコンバージョンを行い、処理された無線信号を中間周波数信号またはベースバンド信号に変換し、前記中間周波数信号または前記ベースバンド信号を前記ベースバンド処理ユニットに送るように構成され、または
前記ベースバンド処理ユニットにより送られたベースバンド信号または中間周波数信号に対してアップコンバージョンおよび増幅を行い、増幅されたベースバンド信号または中間周波数信号を、前記アンテナを用いて送出するように構成され、
前記ベースバンド処理ユニットは、前記無線周波数処理ユニットにより送られた前記中間周波数信号または前記ベースバンド信号を処理するように構成される、
請求項７に記載の通信装置。
【請求項９】
前記アンテナはさらに基板を有し、前記基板は第１の面を有し、前記複数のアンテナユニットは前記第１の面のエッジ位置にある、請求項７または８に記載の通信装置。
【請求項１０】
前記アンテナはさらに接地板を有し、前記基板はさらに第２の面を有し、前記第２の面は前記第１の面に平行であり、前記接地板は前記第２の面上にあり、
前記給電分岐の一端は給電点を有し、他端は接地点を有し、すべての前記アンテナユニットの接地点は前記接地板に接続される、
請求項９に記載の通信装置。
【請求項１１】
前記接地板は各アンテナユニットのクリアランス領域を有し、各アンテナユニットの前記クリアランス領域は前記接地板上の前記アンテナユニットの投影領域にある、
請求項１０に記載の通信装置。
【請求項１２】
前記接地板上の各アンテナユニットの投影方向を垂直方向として用い、各アンテナユニットの給電分岐の、前記アンテナ分岐から遠い境界と、前記アンテナユニットの前記クリアランス領域の境界との間の最小水平距離は０であり、各アンテナユニットの前記アンテナ分岐の、前記給電点に近い境界と、前記アンテナユニットの前記クリアランス領域の境界との間の最小水平距離はλ／５０である、
請求項１１に記載の通信装置。
【請求項１３】
前記複数のアンテナユニットの２つの隣接するアンテナユニットの接地点間の距離がλ／１２以下である場合、前記接地板は前記２つの隣接するアンテナユニットの間の分離領域に対応するクリアランス領域をさらに有し、前記分離領域に対応する前記クリアランス領域は、前記接地板上の前記分離領域の投影領域である、
請求項１２に記載の通信装置。
【発明の詳細な説明】
【技術分野】
【０００１】
［関連出願］
本出願は、２０１５年１２月２９日に中国特許庁に出願した中国特許出願第２０１５１１０２４５９０．２号（発明の名称「ＡＮＴＥＮＮＡ  ＡＮＤ  ＣＯＭＭＵＮＩＣＡＴＩＯＮＳ  ＤＥＶＩＣＥ」）の優先権を主張するものである。上記出願はここにその全体を参照援用する。
［技術分野］
本発明の実施形態は、通信技術に関し、特にアンテナ及び通信装置に関する。
【背景技術】
【０００２】
通信装置のチャネル容量および通信品質を改善するために、通信装置内の従来の単一入力単一出力（Ｓｉｎｇｌｅ−Ｉｎｐｕｔ  Ｓｉｎｇｌｅ−Ｏｕｔｐｕｔ、略してＳＩＳＯ）アンテナは、複数入力複数出力（Ｍｕｌｔｉｐｌｅ−Ｉｎｐｕｔ  Ｍｕｌｔｉｐｌｅ−Ｏｕｔｐｕｔ、略してＭＩＭＯ）アンテナに置き換えることができる。１つのアンテナユニットを有する従来のＳＩＳＯアンテナと比較して、ＭＩＭＯアンテナは、複数のアンテナユニットを含むことができる。ＭＩＭＯアンテナは、複数のアンテナユニットを用いて情報を送受信するので、チャネル容量や通信品質を向上させることができる。
【０００３】
ＭＩＭＯアンテナでは、複数のアンテナユニット間の相互カップリングにより、複数のアンテナユニット間に相互干渉が生じる。アンテナユニット間の干渉を回避するため、アンテナユニット間の距離を所定距離より大きくしてもよく、そうすることにより複数のアンテナユニット間をデカップリングする。しかし、アンテナのサイズが小さくなるにつれ、アンテナユニット間の距離は制約され、結果として、アンテナユニット間のカップリングを無くすことができない。一般的なＭＩＭＯアンテナでは、固定周波数帯域に対して、その固定周波数帯域に対応するニュートラル化ラインを、複数のアンテナユニットの隣接するアンテナユニット間に配置して、そのニュートラル化ラインを用いることにより隣接するアンテナユニット間のカップリング電流をニュートラル化して、それによりアンテナユニットのデカップリングを実現してもよい。マルチバンド・マルチモード通信の発展に伴い、マルチバンド・マルチモード通信をサポートするＭＩＭＯアンテナが現れた。すなわち、ＭＩＭＯアンテナは複数の周波数帯域をサポートできる。
【０００４】
しかし、複数の周波数帯域をサポートするＭＩＭＯアンテナのアンテナユニット間のカップリングの問題はまだ解決できていない。
【発明の概要】
【０００５】
本発明の実施形態は、複数の周波数帯域をサポートするＭＩＭＯアンテナのアンテナユニット間のカップリングの問題を解決し、それによってアンテナユニット間のアイソレーションを向上させるためのアンテナ及び通信装置を提供する。
【０００６】
本発明の一実施形態はアンテナを提供し、該アンテナは、複数のアンテナユニットを有し、各アンテナユニットは複数のアンテナ分岐と１つの給電分岐とを有し、前記複数のアンテナ分岐はすべて前記給電分岐に接続され、同じアンテナユニットの異なるアンテナ分岐は異なる周波数帯域に対応し、複数のアンテナユニットには、少なくとも１つのアンテナユニットペアが存在し、各アンテナユニットペアにおける２つのアンテナユニット間の距離は第１のプリセット距離未満であり、同じ周波数帯域に対応する各アンテナユニットペアにおけるアンテナ分岐の放射方向は異なる。
【０００７】
任意的に、アンテナはさらに基板を含み、前記基板は第１の面を有し、前記複数のアンテナユニットは前記第１の面のエッジ位置にある。
【０００８】
任意的に、前記アンテナはさらに接地板を含み、前記基板はさらに第２の面を有し、前記第２の面は前記第１の面に平行であり、前記接地板は前記第２の面上にあり、給電分岐の一端は給電点を有し、他端は接地点を有し、すべてのアンテナユニットの接地点は接地板に接続される。
【０００９】
任意的に、接地板は各アンテナユニットのクリアランス領域を有し、各アンテナユニットのクリアランス領域は接地板上のアンテナユニットの投影領域にある。
【００１０】
アンテナの接地板上にあり、各アンテナユニットに対応するクリアランス領域は、アンテナユニットのアンテナ分岐の放射効率および放射帯域幅を増加させることができる。
【００１１】
任意的に、接地板上の各アンテナユニットの投影方向を垂直方向として用いて、各アンテナユニットの給電分岐の、アンテナ分岐から遠い境界と、アンテナユニットのクリアランス領域の境界との間の最小水平距離は０であり、各アンテナユニットのアンテナ分岐の、給電点に近い境界と、アンテナユニットのクリアランス領域の境界との間の最小水平距離はλ／５０である。
【００１２】
任意的に、複数のアンテナユニットの２つの隣接するアンテナユニットの接地点間の距離がλ／１２以下である場合、接地板は２つの隣接するアンテナユニットの間の分離領域に対応するクリアランス領域をさらに有し、分離領域に対応するクリアランス領域は、接地板上の分離領域の投影領域である。
【００１３】
任意的に、第１のプリセット距離はλ／２であり、λは各アンテナユニットに対応する最低周波数帯域の最低周波数に対応する波長である。
【００１４】
任意的に、各アンテナユニットペアの２つのアンテナユニット間の距離は、λ／４以上λ／２未満である。
【００１５】
任意的に、同じ周波数帯域に対応する各アンテナユニットペアのアンテナ分岐の放射方向は逆である。
【００１６】
任意的に、同じアンテナユニットの隣接するアンテナ分岐間の距離が第２のプリセット距離よりも小さい場合、隣接するアンテナ分岐の異なるアンテナ分岐は、さらに、共通の周波数帯域に対応し、共通周波数帯域は、隣接するアンテナ分岐の各アンテナ分岐に対応する周波数帯域と異なり、第２のプリセット距離は、異なる周波数帯域に対応する同じアンテナユニットのアンテナ分岐に対応するカップリング距離である。
【００１７】
同一アンテナユニットの隣接するアンテナ分岐間の距離が第２のプリセット距離未満である場合、隣接するアンテナ分岐の異なるアンテナ分岐は、異なる周波数帯域に対応するだけでなく、さらに共通周波数帯域にも対応してもよい。これにより、アンテナユニットの隣接するアンテナ分岐に対応する周波数帯域幅を広げることができ、それによりアンテナの信号伝送帯域を広げることができる。
【００１８】
本発明の一実施形態は、通信装置をさらに提供し、該通信装置は、アンテナを含み、前記アンテナは複数のアンテナユニットを含み、各アンテナユニットは複数のアンテナ分岐と１つの給電分岐とを含み、前記複数のアンテナ分岐はすべて前記給電分岐に接続され、同じアンテナユニットの異なるアンテナ分岐は異なる周波数帯域に対応し、複数のアンテナユニットには少なくとも１つのアンテナユニットペアが存在し、各アンテナユニットペア２つのアンテナユニット間の距離は第１のプリセット距離より小さく、同じ周波数帯域に対応する各アンテナユニットペアのアンテナ分岐の放射方向は異なる。
【００１９】
任意的に、前記通信装置は、無線周波数処理ユニットとベースバンド処理ユニットとをさらに含み、前記ベースバンド処理ユニットは前記無線周波数処理ユニットを用いて前記給電分岐に接続され、前記アンテナは、受信された無線信号を前記無線周波数処理ユニットに送信し、または前記無線周波数処理ユニットが送信した信号を電磁波に変換し、前記電磁波を送出するように構成され、前記無線周波数処理ユニットは、アンテナにより受信された無線信号に対して周波数選択、増幅、およびダウンコンバージョンを行い、処理された無線信号を中間周波数信号またはベースバンド信号に変換し、中間周波数信号またはベースバンド信号をベースバンド処理ユニットに送るように構成され、またはベースバンド処理ユニットにより送られたベースバンド信号または中間周波数信号に対してアップコンバージョンおよび増幅を行い、増幅されたベースバンド信号または中間周波数信号を、アンテナを用いて送出するように構成され、及び前記ベースバンド処理ユニットは、前記無線周波数処理ユニットにより送られた前記中間周波数信号またはベースバンド信号を処理するように構成される。
【００２０】
任意的に、アンテナはさらに基板を含み、前記基板は第１の面を有し、前記複数のアンテナユニットは前記第１の面のエッジ位置にある。
【００２１】
任意的に、前記アンテナはさらに接地板を含み、前記基板はさらに第２の面を有し、前記第２の面は前記第１の面に平行であり、前記接地板は前記第２の面上にあり、給電分岐の一端は給電点を有し、他端は接地点を有し、すべてのアンテナユニットの接地点は接地板に接続される。
【００２２】
任意的に、接地板は各アンテナユニットのクリアランス領域を有し、各アンテナユニットのクリアランス領域は接地板上のアンテナユニットの投影領域にある。
【００２３】
任意的に、接地板上の各アンテナユニットの投影方向を垂直方向として用いて、各アンテナユニットの給電分岐の、アンテナ分岐から遠い境界と、アンテナユニットのクリアランス領域の境界との間の最小水平距離は０であり、各アンテナユニットのアンテナ分岐の、給電点に近い境界と、アンテナユニットのクリアランス領域の境界との間の最小水平距離はλ／５０である。
【００２４】
任意的に、複数のアンテナユニットの２つの隣接するアンテナユニットの接地点間の距離がλ／１２以下である場合、接地板は２つの隣接するアンテナユニットの間の分離領域に対応するクリアランス領域をさらに有し、分離領域に対応するクリアランス領域は、接地板上の分離領域の投影領域である。
【００２５】
任意的に、第１のプリセット距離はλ／２であり、λは各アンテナユニットに対応する最低周波数帯域の最低周波数に対応する波長である。
【００２６】
任意的に、各アンテナユニットペアの２つのアンテナユニット間の距離は、λ／４以上λ／２未満である。
【００２７】
任意的に、同じ周波数帯域に対応する各アンテナユニットペアのアンテナ分岐の放射方向は逆である。
【００２８】
任意的に、同じアンテナユニットの隣接するアンテナ分岐間の距離が第２のプリセット距離よりも小さい場合、隣接するアンテナ分岐の異なるアンテナ分岐は、さらに、共通の周波数帯域に対応し、共通周波数帯域は、隣接するアンテナ分岐の各アンテナ分岐に対応する周波数帯域とは異なり、第２のプリセット距離は、異なる周波数帯域に対応する同じアンテナユニットのアンテナ分岐に対応するカップリング距離である。
【００２９】
通信装置のアンテナの同一アンテナユニットの隣接するアンテナ分岐間の距離が第２のプリセット距離未満である場合、隣接するアンテナ分岐の異なるアンテナ分岐は、異なる周波数帯域に対応するだけでなく、さらに共通周波数帯域にも対応してもよい。これにより、アンテナユニットの隣接するアンテナ分岐に対応する周波数帯域幅を広げることができ、それにより通信装置のアンテナの信号伝送帯域を広げることができる。
【００３０】
本発明の実施形態におけるアンテナ及び通信装置では、アンテナは複数のアンテナユニットを含み、各アンテナユニットは複数のアンテナ分岐及び１つの給電分岐を含み、前記複数のアンテナ分岐はすべて前記給電分岐に接続され、同じアンテナユニットの異なるアンテナ分岐は異なる周波数帯域に対応し、複数のアンテナユニットには少なくとも１つのアンテナユニットペアが存在し、各アンテナユニットペア２つのアンテナユニットの給電点間の距離はプリセット距離より小さく、同じ周波数帯域に対応する各アンテナユニットペアのアンテナ分岐の放射方向は異なる。同一のアンテナユニットの複数のアンテナ分岐はそれぞれ異なる周波数帯域をサポートし、２つのアンテナユニットの給電点間の距離が第１のプリセット距離未満の場合には、２つのアンテナユニットの、同じ周波数帯域に対応するアンテナ分岐の放射方向は異なる。それゆえ、本発明の実施形態によると、アンテナユニット間の距離がプリセット距離未満の場合、複数の周波数帯域をサポートするＭＭＯアンテナのアンテナユニット間のカップリングを低減することができ、アンテナユニット間の干渉を低減することができ、アンテナユニット間のアイソレーションを高めることができる。
【図面の簡単な説明】
【００３１】
本発明の実施形態または先行技術の技術的解決手段をより明確に説明するため、以下に実施形態または先行技術を説明するのに必要な添付図面を簡単に説明する。明らかに、以下に説明する添付図面は、本発明の実施形態を示しており、本技術分野の当業者は、創作的努力をせずとも、これらの添付図面から他の図面に想到することもできるだろう。
【図１Ａ】本発明の実施形態１によるアンテナを示す模式的構造図である。
【図１Ｂ】本発明の実施形態１によるアンテナ中のアンテナユニットを示す模式的構造図である。
【図２】本発明の実施形態２によるアンテナを示す模式的構造図である。
【図３Ａ】本発明の実施形態２による他のアンテナを示す模式的構造図である。
【図３Ｂ】本発明の実施形態２による他のアンテナ中のアンテナユニットを示す模式的構造図である。
【図４Ａ】本発明の実施形態２によるさらに他のアンテナを示す模式的構造図である。
【図４Ｂ】本発明の実施形態２によるさらに他のアンテナ中のアンテナユニットを示す模式的構造図である。
【図５Ａ】本発明の実施形態３による４ユニットＭＩＭＯアンテナを示す模式的上面図である。
【図５Ｂ】本発明の実施形態３による４ユニットＭＩＭＯアンテナを示す模式的底面図である。
【図５Ｃ】本発明の実施形態３による４ユニットＭＩＭＯアンテナ中のアンテナユニットを示す模式的構造図である。
【図６Ａ】本発明の実施形態３による他の４ユニットＭＩＭＯアンテナを示す模式的上面図である。
【図６Ｂ】本発明の実施形態３による他の４ユニットＭＩＭＯアンテナを示す模式的底面図である。
【図７Ａ】本発明の実施形態３によるさらに他の４ユニットＭＩＭＯアンテナを示す模式的上面図である。
【図７Ｂ】本発明の実施形態３によるさらに他の４ユニットＭＩＭＯアンテナを示す模式的底面図である。
【図８Ａ】本発明の実施形態３によるさらに他の４ユニットＭＩＭＯアンテナを示す模式的上面図である。
【図８Ｂ】本発明の実施形態３によるさらに他の４ユニットＭＩＭＯアンテナを示す模式的底面図である。
【図９Ａ】本発明の実施形態４による８ユニットＭＩＭＯアンテナを示す模式的上面図である。
【図９Ｂ】本発明の実施形態４による８ユニットＭＩＭＯアンテナを示す模式的底面図である。
【図１０】本発明の実施形態５による通信装置を示す模式的構造図である。
【図１１】本発明の実施形態５による他の通信装置を示す模式的構造図である。
【発明を実施するための形態】
【００３２】
本発明の目的、技術的解決手段、実施形態の効果をより明確にするため、以下に、本発明の実施形態の添付図面を参照して、本発明の実施形態の技術的解決手段を明確かつ完全に説明する。明らかに、記載される実施形態は、本発明の実施形態の一部ではあるがすべてではない。本技術分野の当業者によって創作的努力を要せずに本発明の実施形態に基づき得られる他の実施形態はすべて、本発明の保護範囲内に入る。
【００３３】
本発明の各実施形態で提供されるアンテナは、複数の周波数帯域をサポートするＭＩＭＯアンテナであり得る。ＭＩＭＯアンテナは通信装置中にあり得る。通信装置は無線通信装置であってもよい。例えば、通信装置は端末、ネットワーク装置、又はリレー装置のうちどれであってもよい。端末は、例えば、ノートブックコンピュータ、スマートフォン、又はタブレットコンピュータであってもよい。ネットワーク装置は、例えば、基地局またはゲートウェイであり得る。
【００３４】
本発明の実施形態１はアンテナを提供する。図１Ａは、本発明の実施形態１によるアンテナを示す模式的構造図である。図１Ｂは、本発明の実施形態１によるアンテナ中のアンテナユニットを示す模式的構造図である。図１Ａと図１Ｂに示すように、アンテナ１００は複数のアンテナユニット１０１を含み得る。各アンテナユニット１０１は、複数のアンテナ分岐１０２と、１つの給電分岐１０３とを含む。複数のアンテナ分岐１０２はすべて、給電分岐１０３に接続されている。各アンテナユニット１０１は、マイクロストリップ構造のアンテナユニットであってもよい、すなわち、各アンテナユニット１０１に含まれるアンテナ分岐１０２および給電分岐１０３はすべて、マイクロストリップ構造であってもよい。
【００３５】
同じアンテナユニット１０１中の異なるアンテナ分岐１０２は、異なる周波数帯域に対応する。同じアンテナユニット１０１中の異なるアンテナ分岐１０２は、異なる周波数帯域に対応する。すなわち、同じアンテナユニット１０１において、各アンテナ分岐１０２は１つの周波数帯域に対応し、異なるアンテナ分岐１０２は異なる周波数帯域に対応する。異なるアンテナ分岐１０２は異なる周波数帯域に対応するので、その異なるアンテナ分岐１０２によりサポートされ得る周波数帯域は異なる、すなわち、異なるアンテナ分岐１０２により送受信される信号に対応する周波数帯域は異なる。各アンテナ分岐１０２はそのアンテナ分岐１０２に対応する周波数帯域にある信号をサポートする、すなわち、そのアンテナ分岐１０２に対応する周波数帯域にある信号を送受信できる。各アンテナユニット１０１中の各アンテナ分岐１０２の分岐長さは、そのアンテナ分岐１０２に対応する周波数帯域に基づいて決定し得る。例えば、各アンテナ分岐１０２の分岐長さは、そのアンテナ分岐１０２に対応する周波数帯域における最小周波数に対応する波長の１／４であり得る。
【００３６】
アンテナ１００は複数のアンテナユニット１０１を含み、各アンテナユニット１０１は複数のアンテナ分岐１０２を含み、同じアンテナユニット１０１の異なるアンテナ分岐１０２は異なる周波数帯域に対応する。それゆえ、各アンテナユニット１０１は複数の周波数帯域をサポートし、複数の周波数帯域は各アンテナユニット１０１のアンテナ分岐１０２に対応する周波数帯域を含む。それゆえ、アンテナ１００は複数の周波数帯域をサポートするＭＩＭＯアンテナであり得る。
【００３７】
異なるアンテナユニット１０１の内部構造は同じであり、異なるアンテナユニット１０１に含まれるアンテナ分岐１０２の数は同じであり、１つのアンテナユニット１０１のアンテナ分岐１０２に対応する周波数帯域は、他のアンテナユニット１０１のアンテナ分岐１０２に対応する周波数帯域と同じであってもよい。例えば、アンテナユニットが２つのアンテナ分岐を含み、一方のアンテナ分岐が周波数帯域Ｂ３９に対応し、他方のアンテナ分岐が周波数帯域Ｂ３８または周波数帯域Ｂ４０に対応する場合、他のアンテナユニットも２つのアンテナ分岐を含み、一方のアンテナ分岐は周波数帯域Ｂ３９に対応し、他方のアンテナ分岐は周波数帯域Ｂ３８または周波数帯域Ｂ４０に対応する。周波数帯域Ｂ３８は２５７０ＭＨｚないし２６２０ＭＨｚである。周波数帯域Ｂ３９は１８８０ＭＨｚないし１９２０ＭＨｚである。周波数帯域Ｂ４０は２３００ＭＨｚないし２４００ＭＨｚである。
複数のアンテナユニット１０１には、少なくとも１つのアンテナユニットペアが存在し、各アンテナユニットペアにおける２つのアンテナユニット１０１間の距離は第１のプリセット距離未満であり、同じ周波数帯域に対応する各アンテナユニットペアにおけるアンテナ分岐１０２の放射方向は異なる。第１のプリセット距離は異なるアンテナユニット１０１間のプリセット距離である。
【００３８】
例えば、複数のアンテナユニットに１つのアンテナユニットペアがある場合、そのアンテナユニットペアは２つのアンテナユニットを含み、その２つのアンテナユニットはそれぞれ２つのアンテナ分岐を有し、一方のアンテナ分岐は周波数帯域Ｂ３９に対応し、他方のアンテナ分岐は周波数帯域Ｂ３８または周波数帯域Ｂ４０に対応する。アンテナユニットペアの一方のアンテナユニットにおける周波数帯域Ｂ３９に対応するアンテナ分岐の放射方向は、そのアンテナユニットペアの他方のアンテナユニットにおける周波数帯域Ｂ３９に対応するアンテナ分岐の放射方向とは異なる。
【００３９】
第１のプリセット距離は、例えば、隣接する２つのアンテナユニット間の最大カップリング距離に基づいて決定されてもよく、その最大カップリング距離よりも小さくてもよい。それゆえ、２つのアンテナユニット間の距離が第１のプリセット距離以上であれば、その２つのアンテナユニットの間にカップリング電流が存在しないか、またはその２つのアンテナユニット間のカップリング電流は、プリセットされたカップリング電流範囲内に収まる。既存のアンテナユニットカップリングソリューションでは、２つのアンテナユニット間の距離が第１のプリセット距離よりも小さい場合、その２つのアンテナユニットの間に必然的にカップリング電流が存在する。本発明のこの実施形態で提供されるアンテナは、２つのアンテナユニット間の距離が第１のプリセット距離よりも小さい場合には、その２つのアンテナユニット間のカップリングを低減することができ、または排除することさえできる。その２つのアンテナユニットにあり、同じ周波数帯域に対応するアンテナ分岐の放射方向が異なるからである。その２つのアンテナユニットにあり、同じ周波数帯域に対応するアンテナ分岐の放射方向が異なることは、その２つのアンテナユニットにあり、同じ周波数帯域に対応するアンテナ分岐の放射方向間の角度差が９０°または１８０°であることを含む。
【００４０】
本発明の実施形態１で提供されるアンテナは、複数のアンテナユニットを有し、各アンテナユニットは複数のアンテナ分岐と１つの給電分岐とを有し、前記複数のアンテナ分岐はすべて前記給電分岐に接続され、同じアンテナユニットの異なるアンテナ分岐は異なる周波数帯域に対応し、前記複数のアンテナユニットには少なくとも１つのアンテナユニットペアが存在し、各アンテナユニットペア２つのアンテナユニット間の距離は第１のプリセット距離より小さく、同じ周波数帯域に対応する各アンテナユニットペアのアンテナ分岐の放射方向は異なる。第１のプリセット距離は異なるアンテナユニット間のプリセット距離である。したがって、本発明の実施形態によれば、複数の周波数帯域をサポートするＭＩＭＯアンテナのアンテナユニット間のカップリングを低減でき、アンテナユニット間の干渉を低減でき、アンテナユニット間のアイソレーションを向上できる。
【００４１】
アンテナユニット間のアイソレーションが大きくなると、アンテナユニットのアンテナ分岐の伝送効率も必然的に向上する。したがって、本発明のこの実施形態によれば、アンテナにおけるアンテナユニットのアンテナ分岐の伝送効率を向上することができ、アンテナの伝送効率を向上することができる。
【００４２】
本発明のこの実施形態のアンテナにより、各アンテナユニットペアにおける２つのアンテナユニットの給電点間の距離が第１のプリセット距離未満であれば、アンテナユニット間のカップリングの問題を解決することができ、アンテナユニットは、マイクロストリップ構造のアンテナユニットであってもよい。従って、本発明のこの実施形態で提供されるアンテナは、薄型のアンテナであってもよく、付加的デカップリングネットワークが不要なので、アンテナのサイズを小さくすることができる。これにより、通信デバイスにおけるコンポーネントの集積レベルが高まり、それによって通信デバイスのサイズが縮小される。
【００４３】
また、本発明のこの実施形態で提供されるアンテナでは、アンテナユニットの異なるアンテナ分岐が異なる周波数帯域に対応することができ、狭帯域に限定されない。したがって、２つのアンテナユニットの給電点間の距離が第１のプリセット距離未満であれば、２つのアンテナユニットにある、同じ周波数帯域に対応するアンテナ分岐の放射方向が異なる場合には、複数の周波数帯域の異なるアンテナユニット間に高いアイソレーションを実現できる。したがって、本発明のこの実施形態におけるアンテナの高いアイソレーションは、周波数帯域によって制限されない。
【００４４】
図１Ａと図１Ｂには２つのアンテナユニットが示されているが、本発明の実施形態１で提供されるアンテナのアンテナユニットの数はこれに限定されるものではないことに留意すべきである。また、図１Ａ及び図１Ｂの各アンテナユニットのアンテナ分岐の形状は、ここでは限定されず、他のレイアウト形状であってもよい。詳細は本発明の本明細書では説明しない。
【００４５】
本発明の実施形態２は、さらにアンテナを提供する。図２は、本発明の実施形態２によるアンテナを示す模式的構造図である。図２に示すように、上記実施形態１に基づいて、アンテナ１００は基板２０１をさらに含んでもよい。基板２０１は第１の面２０２を有する。複数のアンテナユニット１０１は、第１の面２０２のエッジ位置にある。
【００４６】
複数のアンテナ分岐１０２および給電分岐１０３は、第１の面２０２上に置かれる。
【００４７】
図３Ａは、本発明の実施形態２による他のアンテナを示す模式的構造図である。図３Ｂは、本発明の実施形態２による上記他のアンテナ中のアンテナユニットを示す模式的構造図である。図３Ａ及び図３Ｂに示すように、上記アンテナに基づき、アンテナは、接地板３０１をさらに含むことができる。基板２０１はさらに第２の面３０２を有する。第２の面３０２は第１の面２０２に平行である。接地板３０１は第２の面３０２上にある。
【００４８】
給電分岐１０３の一端は給電点３０３を有し、他端は接地点３０４を有する。すべてのアンテナユニット１０１の接地点３０４は接地板３０１に接続される。
【００４９】
全てのアンテナユニット１０１の給電点３０３は、給電回路にさらに接続されていてもよい。給電回路は通信装置中の給電回路であってもよい。
【００５０】
具体的には、各アンテナユニットペアにおける２つのアンテナユニット１０１間の距離は、２つのアンテナユニット１０１の給電点間の距離であってもよい。
【００５１】
また、上記実施形態において、第１のプリセット距離はλ／２であってもよく、λは各アンテナユニットに対応する最低周波数帯域の最低周波数に対応する波長である。
【００５２】
例えば、各アンテナユニット１０１が２つのアンテナ分岐１０２を含む場合、一方のアンテナ分岐１０２に対応する周波数帯域は周波数帯域Ｂ３９を含み、他方のアンテナ分岐１０２に対応する周波数帯域は周波数帯域Ｂ３８  Ｂ４０を含み、λは最低周波数帯域の最低周波数に対応する波長であってもよい。
【００５３】
任意的に、各アンテナユニットペアの２つのアンテナユニット１０１の給電点３０３の間の距離は、λ／４以上λ／２未満である。
【００５４】
任意的に、同じ周波数帯域に対応する各アンテナユニットペアのアンテナ分岐１０２の放射方向は逆である。
【００５５】
具体的には、同一周波数帯域に対応するアンテナユニットペアのアンテナ分岐１０２の放射方向が逆である場合には、アンテナユニットペアの２つのアンテナユニット１０１にあるアンテナ分岐１０２の放射方向と、同じ周波数帯域に対応する放射方向との間の角度差は１８０°である。
【００５６】
図４Ａは、本発明の実施形態２によるさらに他のアンテナを示す模式的構造図である。図４Ｂは、本発明の実施形態２によるさらに他のアンテナ中のアンテナユニットを示す模式的構造図である。図４Ａ及び図４Ｂに示すように、任意的に、接地板３０１は各アンテナユニット１０１のクリアランス領域４０１を有している。
各アンテナユニット１０１のクリアランス領域４０１は接地板３０１上のアンテナユニット１０１の投影領域にある。
【００５７】
具体的には、接地板３０１上の各アンテナユニット１０１のクリアランス領域４０１は、実際にはクリアランスグラウンドである。
【００５８】
各アンテナユニット１０１のクリアランス領域を接地板３０１に配置することにより、アンテナユニットにおけるアンテナ分岐の放射効率及び放射帯域幅を拡大することができる。
【００５９】
任意的に、接地板３０１上の各アンテナユニット１０１の投影方向を垂直方向として用いて、各アンテナユニット１０１の給電分岐１０３の、アンテナ分岐１０２から遠い境界と、アンテナユニット１０１のクリアランス領域４０１の境界４０３との間の最小水平距離は０である。各アンテナユニット１０１のアンテナ分岐１０２の、給電点３０３に近い境界と、アンテナユニット１０１のクリアランス領域４０１の境界４０５との間の最小水平距離はλ／５０である。
【００６０】
複数のアンテナユニット１０１の２つの隣接するアンテナユニット１０１の接地点３０４間の距離がλ／１２以下である場合、接地板３０１は２つの隣接するアンテナユニット１０１の間の分離領域に対応するクリアランス領域をさらに有する。分離領域に対応するクリアランス領域は、接地板３０１上の分離領域の投影領域である。
【００６１】
任意的に、同じアンテナユニット１０１の隣接するアンテナ分岐１０２間の距離が第２のプリセット距離よりも小さい場合、隣接するアンテナ分岐１０２の異なるアンテナ分岐は、さらに、共通の周波数帯域に対応する。
共通周波数帯域は、隣接するアンテナ分岐１０２の各アンテナ分岐に対応する周波数帯域とは異なる。
【００６２】
第２のプリセット距離は、異なる周波数帯域に対応する同じアンテナユニット１０１内のアンテナ分岐１０２に対応するカップリング距離である。
【００６３】
同一アンテナユニット１０１の隣接するアンテナ分岐１０２間の距離が第２のプリセット距離未満である場合、隣接するアンテナ分岐１０２の異なるアンテナ分岐は、異なる周波数帯域に対応するだけでなく、さらに共通周波数帯域にも対応してもよい。これにより、アンテナユニットの隣接するアンテナ分岐に対応する周波数帯域幅を広げることができ、それによりアンテナの信号伝送帯域を広げることができる。
【００６４】
本発明の実施形態２で提供されるアンテナでは、各アンテナユニットペアにおける２つのアンテナユニットの給電点間の距離がλ／４以上かつλ／２未満であるため、アンテナのサイズを確保しつつ、そのアンテナのアンテナユニット間のカップリングを低減できる。また、接地板は、各アンテナユニットに対応するクリアランス領域をさらに有するので、アンテナのアンテナユニット間のカップリングを良好に低減することができ、アンテナユニット間の干渉を回避し、アンテナの性能を確保することができる。
【００６５】
本発明の実施形態３は、さらにアンテナを提供する。本発明の実施形態３を、具体例を用いて説明する。図５Ａは、本発明の実施形態３による４ユニットＭＩＭＯアンテナを示す模式的上面図である。図５Ｂは、本発明の実施形態３による４ユニットＭＩＭＯアンテナを示す模式的底面図である。図５Ｃは、本発明の実施形態３による４ユニットＭＩＭＯアンテナ中のアンテナユニットを示す模式的構造図である。図５Ａないし図５Ｃに示すように、アンテナ５００は、第１のアンテナユニット５０１と、第２のアンテナユニット５０２と、第３のアンテナユニット５０３と、第４のアンテナユニット５０４と、基板５０５と、接地板５０６とを含む。基板５０５は第１の面５０７と第２の面５０８とを有する。第１の面５０７および第２の面５０８は、互いに平行な基板５０５の２つの面である。
【００６６】
アンテナユニットは、全て基板５０５の第１の面５０７上に置かれ、基板５０５の第１の面５０７上の４つの頂点位置にそれぞれ配置される。
【００６７】
各アンテナユニットは、第１のアンテナ分岐５０９、第２のアンテナ分岐５１０、および給電分岐５１１を含む。第１のアンテナ分岐５０９および第２のアンテナ分岐５１０は、給電分岐５１１に別々に接続される。第１のアンテナ分岐５０９に対応する周波数帯域は、例えば、周波数帯域Ｂ３９であってもよく、第２のアンテナ分岐５１０に対応する周波数帯域は、周波数帯域Ｂ４０であってもよい。第１のアンテナ分岐５０９の分岐長は、周波数帯域Ｂ３９の最小周波数に対応する波長の１／４であってもよい。すべてのアンテナ分岐および給電分岐は、第１の面５０７上に置かれる。給電分岐５１１の第１の端は給電点５１２を有し、給電分岐５１１の第２の端は接地点５１３を有する。すべての給電点５１２は給電回路に接続される。すべての接地点５１３は接地板５０６に接続される。例えば、第１のアンテナ分岐５０９の分岐長さは、例えば、３７ｍｍであってもよく、第２のアンテナ分岐５１０の分岐長さは、例えば、２４ｍｍであってもよい。
【００６８】
各アンテナユニットの第１のアンテナ分岐５０９と第２のアンテナ分岐５１０との間の間隔が第２のプリセット距離よりも小さい場合、第１のアンテナ分岐５０９と第２のアンテナ分岐５１０は、さらに共通の周波数帯域に対応する。共通周波数帯域は、周波数帯域Ｂ３８であってもよい。第２のプリセット距離は、異なる周波数帯域に対応する同じアンテナユニットのアンテナ分岐に対応するカップリング距離であり得る。例えば、第２のプリセット距離が０乃至２ｍｍであり、第１のアンテナ分岐５０９と第２のアンテナ分岐５１０との間の間隔が１ｍｍであり得る場合、第１のアンテナ分岐５０９と第２のアンテナ分岐５１０は、さらに共通周波数帯域に対応してもよい。共通周波数帯域は、周波数帯域Ｂ３８であってもよい。
【００６９】
第１のアンテナユニット５０１と第２のアンテナユニット５０２の給電点間の距離は、λ／４以上かつλ／２未満であり、第３のアンテナユニット５０３と第４のアンテナユニット５０４の給電点間の距離も、λ／４以上かつλ／２未満である。λは、アンテナユニットに対応する最低周波数帯域の最低周波数に対応する波長である。
【００７０】
図５Ａにおいて、第１のアンテナユニット５０１および第２のアンテナユニット５０２にあり、同じ周波数帯域に対応するアンテナ分岐の放射方向が逆であり、すなわち、第１のアンテナユニット５０１の第１のアンテナ分岐の放射方向は、第２のアンテナユニット５０２の第１のアンテナ分岐の放射方向と逆であり、第１のアンテナユニット５０１の第２のアンテナ分岐の放射方向は、第２のアンテナユニット５０２の第２のアンテナ分岐の放射方向と逆である。第３のアンテナユニット５０３および第４のアンテナユニット５０４にある、同じ周波数帯域に対応するアンテナ分岐の放射方向は逆である。すなわち、第３のアンテナユニット５０３の第１のアンテナ分岐の放射方向は、第４のアンテナユニット５０４の第１のアンテナ分岐の放射方向と逆であり、第３のアンテナユニット５０３の第２のアンテナ分岐の放射方向は、第４のアンテナユニット５０４の第２のアンテナ分岐の放射方向と逆である。図５Ａにおいて、基板５０５上で、第１のアンテナユニット５０１は第３のアンテナユニット５０３と対称であり、第２のアンテナユニット５０２は第４のアンテナユニット５０４と対称である。
【００７１】
接地板５０６は各アンテナユニットのクリアランス領域５１４を有する。各アンテナユニットのクリアランス領域５１４は接地板５０６上のアンテナユニットの投影領域にある。
【００７２】
接地板５０６上の各アンテナユニットの投影方向を垂直方向として用い、各アンテナユニットの給電分岐５１１の、アンテナ分岐から遠い境界と、アンテナユニットのクリアランス領域５１４の境界との間の最小水平距離は０である。各アンテナユニットの第１のアンテナ分岐５０９の境界と、アンテナユニットのクリアランス領域５１４の境界との水平距離はλ／５０である。
【００７３】
本発明の実施形態３は、さらに他の４ユニットＭＩＭＯアンテナを提供する。図６Ａは、本発明の実施形態３による他の４ユニットＭＩＭＯアンテナを示す模式的上面図である。図６Ｂは、本発明の実施形態３による上記他の４ユニットＭＩＭＯアンテナを示す模式的底面図である。図６Ａ及び図６Ｂに示すように、アンテナ６００は、第１のアンテナユニット６０１と、第２のアンテナユニット６０２と、第３のアンテナユニット６０３と、第４のアンテナユニット６０４と、基板６０５と、接地板６０６とを含む。基板６０５は第１の面６０７と第２の面６０８とを有する。第１の面６０７および第２の面６０８は、互いに平行な基板６０５の２つの面である。
【００７４】
アンテナユニットは、全て基板６０５の第１の面６０７上に置かれ、基板６０５の第１の面６０７上の４つの頂点位置にそれぞれ配置される。
【００７５】
各アンテナユニットは、第１のアンテナ分岐６０９、第２のアンテナ分岐６１０、および給電分岐６１１を含む。第１のアンテナ分岐６０９および第２のアンテナ分岐６１０は、給電分岐６１１に別々に接続される。第１のアンテナ分岐６０９は、図５Ａの第１のアンテナ分岐５０９と同様であってもよく、詳細はここでは再び説明しない。第２のアンテナ分岐６１０は、図５Ａの第２のアンテナ分岐５１０と同様であってもよく、詳細はここでは再び説明しない。すべてのアンテナ分岐および給電分岐は、第１の面６０７上に置かれる。給電分岐６１１の第１の端は給電点６１２を有し、給電分岐６１１の第２の端は接地点６１３を有する。すべての給電点６１２は給電回路に接続される。すべての接地点６１３は接地板６０６に接続される。
【００７６】
第１のアンテナユニット６０１と第２のアンテナユニット６０２の給電点間の距離は、λ／４以上かつλ／２未満である。第３のアンテナユニット６０３と第４のアンテナユニット６０４の給電点間の距離も、λ／４以上かつλ／２未満である。λは、アンテナユニットに対応する最低周波数帯域の最低周波数に対応する波長である。第１のアンテナユニット６０１の第１のアンテナ分岐の放射方向は、第２のアンテナユニット６０２の第１のアンテナ分岐の放射方向とは異なり、第１のアンテナユニット６０１の第２のアンテナ分岐の放射方向は、第２のアンテナユニット６０２の第２のアンテナ分岐の放射方向とは異なる。第３のアンテナユニット６０３の第１のアンテナ分岐の放射方向は、第４のアンテナユニット６０４の第１のアンテナ分岐の放射方向とは異なり、第３のアンテナユニット６０３の第２のアンテナ分岐の放射方向は、第４のアンテナユニット６０４の第２のアンテナ分岐の放射方向とは異なる。図６Ａにおいて、第１のアンテナユニット６０１は第３のアンテナユニット６０３と対称であり、第２のアンテナユニット６０２は第４のアンテナユニット６０４と対称である。第１のアンテナユニット６０１の給電分岐は第２のアンテナユニット６０２の給電分岐に対して垂直であり、第３のアンテナユニット６０３の給電分岐は、第４のアンテナユニット６０４の給電分岐に対して垂直である。
【００７７】
接地板６０６は各アンテナユニットのクリアランス領域６１４を有する。各アンテナユニットのクリアランス領域６１４は接地板６０６上のアンテナユニットの投影領域にある。
【００７８】
接地板６０６上の各アンテナユニットの投影方向を垂直方向として用い、各アンテナユニットの給電分岐６１１の、アンテナ分岐から遠い境界と、アンテナユニットのクリアランス領域６１４の境界との間の最小水平距離は０である。各アンテナユニットの第１のアンテナ分岐７０９の境界と、アンテナユニットのクリアランス領域６１４の境界との水平距離はλ／５０である。
【００７９】
本発明の実施形態３は、さらに他の４ユニットＭＩＭＯアンテナを提供する。図７Ａは、本発明の実施形態３によるさらに他の４ユニットＭＩＭＯアンテナを示す模式的上面図である。図７Ｂは、本発明の実施形態３によるさらに他の４ユニットＭＩＭＯアンテナを示す模式的底面図である。図７Ａ及び図７Ｂに示すように、アンテナ７００は、第１のアンテナユニット７０１と、第２のアンテナユニット７０２と、第３のアンテナユニット７０３と、第４のアンテナユニット７０４と、基板７０５と、接地板７０６とを含む。基板７０５は第１の面７０７と第２の面７０８とを有する。第１の面７０７および第２の面７０８は、互いに平行な基板７０５の２つの面である。
アンテナユニットは、全て基板７０５の第１の面７０７上に置かれ、基板７０５の第１の面７０７上の４つの頂点位置にそれぞれ配置される。
【００８０】
アンテナユニットはそれぞれ、第１のアンテナ分岐７０９、第２のアンテナ分岐７１０、および給電分岐７１１を含む。第１のアンテナ分岐６０９および第２のアンテナ分岐７１０は、給電分岐７１１に別々に接続される。第１のアンテナ分岐７０９は、図５Ａの第１のアンテナ分岐５０９と同様であってもよく、詳細はここでは再び説明しない。第２のアンテナ分岐７１０は、図５Ａの第１のアンテナ分岐５１０と同様であってもよく、詳細はここでは再び説明しない。すべてのアンテナ分岐および給電分岐は、第１の面７０７上に置かれる。給電分岐７１１の第１の端は給電点７１２を有し、給電分岐７１１の第２の端は接地点７１３を有する。すべての給電点７１２は給電回路に接続される。すべての接地点７１３は接地板７０６に接続される。
【００８１】
上記４つのアンテナユニットのうち、第１のアンテナユニット７０１と第２のアンテナユニット７０２の給電点間の距離は、λ／４以上かつλ／２未満である。第３のアンテナユニット７０３と第４のアンテナユニット７０４の給電点間の距離も、λ／４以上かつλ／２未満である。λは、アンテナユニットに対応する最低周波数帯域の最低周波数に対応する波長である。第１のアンテナユニット７０１の第１のアンテナ分岐の放射方向は、第２のアンテナユニット７０２の第１のアンテナ分岐の放射方向とは逆であり、第１のアンテナユニット７０１の第２のアンテナ分岐の放射方向は、第２のアンテナユニット７０２の第２のアンテナ分岐の放射方向とは逆である。第３のアンテナユニット７０３の第１のアンテナ分岐の放射方向は、第４のアンテナユニット７０４の第１のアンテナ分岐の放射方向とは逆であり、第３のアンテナユニット７０３の第２のアンテナ分岐の放射方向は、第４のアンテナユニット７０４の第２のアンテナ分岐の放射方向とは逆である。図７Ａにおいて、第１のアンテナユニット７０１、第２のアンテナユニット７０２、第３のアンテナユニット７０３、及び第４のアンテナユニット７０４の給電分岐は互いに平行である。図７Ａにおいて、第１のアンテナユニット７０１は第３のアンテナユニット７０３と対称であり、第２のアンテナユニット６０２は第４のアンテナユニット６０４と対称である。
【００８２】
接地板７０６は各アンテナユニットのクリアランス領域７１４を有する。各アンテナユニットのクリアランス領域７１４は接地板７０６上のアンテナユニットの投影領域にある。
【００８３】
接地板７０６上の各アンテナユニットの投影方向を垂直方向として用い、各アンテナユニットの給電分岐７１１の、アンテナ分岐から遠い境界と、アンテナユニットのクリアランス領域７１４の境界との間の最小水平距離は０である。各アンテナユニットの第１のアンテナ分岐７０９の境界と、アンテナユニットのクリアランス領域７１４の境界との水平距離はλ／５０である。
【００８４】
本発明の実施形態３は、さらに他の４ユニットＭＩＭＯアンテナを提供する。図８Ａは、本発明の実施形態３によるさらに他の４ユニットＭＩＭＯアンテナを示す模式的上面図である。図８Ｂは、本発明の実施形態３によるさらに他の４ユニットＭＩＭＯアンテナを示す模式的底面図である。図８Ａ及び図８Ｂに示すように、アンテナ８００は、第１のアンテナユニット８０１と、第２のアンテナユニット８０２と、第３のアンテナユニット８０３と、第４のアンテナユニット８０４と、基板８０５と、接地板８０６とを含む。基板８０５は第１の面８０７と第２の面８０８とを有する。第１の面８０７および第２の面８０８は、互いに平行な基板８０５の２つの面である。
【００８５】
アンテナユニットは、全て基板８０５の第１の面８０７上に置かれ、基板８０５の第１の面８０７上の４つの頂点位置にそれぞれ配置される。
【００８６】
アンテナユニットはそれぞれ、第１のアンテナ分岐８０９、第２のアンテナ分岐８１０、および給電分岐８１１を含む。第１のアンテナ分岐８０９および第２のアンテナ分岐８１０は、給電分岐８１１に別々に接続される。第１のアンテナ分岐８０９は、図５Ａの第１のアンテナ分岐５０９と同様であってもよく、詳細はここでは再び説明しない。第２のアンテナ分岐８１０は、図５Ａの第２のアンテナ分岐５１０と同様であってもよく、詳細はここでは再び説明しない。すべてのアンテナ分岐および給電分岐は、第１の面８０７上に置かれる。給電分岐８１１の第１の端は給電点８１２を有し、給電分岐８１１の第２の端は接地点８１３を有する。すべての給電点８１２は給電回路に接続される。すべての接地点８１３は接地板８０６に接続される。
【００８７】
第１のアンテナユニット８０１と第２のアンテナユニット８０２の給電点間の距離は、λ／４以上かつλ／２未満である。第３のアンテナユニット８０３と第４のアンテナユニット８０４の給電点間の距離も、λ／４以上かつλ／２未満である。λは、アンテナユニットに対応する最低周波数帯域の最低周波数に対応する波長である。第１のアンテナユニット８０１の第１のアンテナ分岐の放射方向は、第２のアンテナユニット８０２の第１のアンテナ分岐の放射方向とは異なり、第１のアンテナユニット８０１の第２のアンテナ分岐の放射方向は、第２のアンテナユニット８０２の第２のアンテナ分岐の放射方向とは異なる。第３のアンテナユニット８０３の第１のアンテナ分岐の放射方向は、第４のアンテナユニット８０４の第１のアンテナ分岐の放射方向とは逆であり異なり、第３のアンテナユニット８０３の第２のアンテナ分岐の放射方向は、第４のアンテナユニット８０４の第２のアンテナ分岐の放射方向とは異なる。第１のアンテナユニット８０１、第２のアンテナユニット８０２、第３のアンテナユニット８０３、第４のアンテナユニット８０４の隣接するアンテナユニットの給電分岐は互いに直交している。
【００８８】
接地板８０６は各アンテナユニットのクリアランス領域８１４を有する。各アンテナユニットのクリアランス領域８１４は接地板８０６上のアンテナユニットの投影領域にある。
【００８９】
接地板８０６上の各アンテナユニットの投影方向を垂直方向として用い、各アンテナユニットの給電分岐８１１の、アンテナ分岐から遠い境界と、アンテナユニットのクリアランス領域８１４の境界との間の最小水平距離は０である。各アンテナユニットの第１のアンテナ分岐８０９の境界と、アンテナユニットのクリアランス領域８１４の境界との水平距離はλ／５０である。
【００９０】
本発明の実施形態３で提供されるアンテナの場合、上記実施形態では、複数の周波数帯域をサポートする４ユニットＭＩＭＯアンテナにおけるアンテナユニット間のカップリングの問題をより良好に解決するために、アンテナを具体的に記述するために、複数の４ユニットＭＩＭＯアンテナが提供され、アンテナユニット間の干渉を回避する。
【００９１】
本発明の実施形態４は、さらにアンテナを提供する。本発明の実施形態４を、具体例を用いて説明する。図９Ａは、本発明の実施形態４による８ユニットＭＩＭＯアンテナを示す模式的上面図である。図９Ｂは、本発明の実施形態４による８ユニットＭＩＭＯアンテナを示す模式的底面図である。図９Ａ及び図９Ｂに示すように、アンテナ９００は、第１のアンテナユニット９０１、第２のアンテナユニット９０２、第３のアンテナユニット９０３、第４のアンテナユニット９０４、第５のアンテナユニット９０５、第６のアンテナユニット９０６、第７のアンテナユニット９０７、第８のアンテナユニット９０８と、基板９０９と、接地板９１０とを備えている。基板９０９は第１の面９１１と第２の面９１２とを有する。第１の面９１１および第２の面９１２は、互いに平行な基板９０９の２つの面である。
【００９２】
アンテナユニットは全て基板９０９の第１の面９１１上に置かれる。第１のアンテナユニット９０１、第２のアンテナユニット９０２、第３のアンテナユニット９０３及び第４のアンテナユニット９０４は、基板９０９の第１の面９１１の４つの頂点位置にそれぞれ位置する。第５のアンテナユニット９０５及び第７のアンテナユニットは第１の面９１１のエッジ位置に位置し、第１のアンテナユニット９０１および第２のアンテナユニット９０２と同じ側に位置している。第６のアンテナユニット９０６及び第８のアンテナユニット９０８は、第１の面９１１のエッジ位置に位置し、第３のアンテナユニット９０３および第４のアンテナユニット９０４と同じ側にある。
【００９３】
各アンテナユニットは、第１のアンテナ分岐９１３、第２のアンテナ分岐９１４、および給電分岐９１５を含む。第１のアンテナ分岐９１３および第２のアンテナ分岐９１４は、給電分岐９１５に別々に接続される。第１のアンテナ分岐９１３は、図５Ａの第１のアンテナ分岐５０９と同様であってもよく、詳細はここでは再び説明しない。第２のアンテナ分岐９１４は、図５Ａの第２のアンテナ分岐５１０と同様であってもよく、詳細はここでは再び説明しない。すべてのアンテナ分岐および給電分岐は、第１の面９１１上に置かれる。給電分岐９１５の第１の端は給電点９１６を有し、給電分岐９１５の第２の端は接地点９１７を有する。すべての給電点９１６は給電回路に接続される。すべての接地点９１７は接地板９１０に接続される。
【００９４】
第１のアンテナユニット９０１と第２のアンテナユニット９０２の給電点間の距離は、λ／４以上かつλ／２未満である。第３のアンテナユニット９０３と第４のアンテナユニット９０４の給電点間の距離も、λ／４以上かつλ／２未満である。第５のアンテナユニット９０５と第６のアンテナユニット９０６の給電点間の距離は、λ／４以上かつλ／２未満である。第７のアンテナユニット９０７と第８のアンテナユニット９０８の給電点間の距離も、λ／４以上かつλ／２未満である。λは、アンテナユニットに対応する最低周波数帯域の最低周波数に対応する波長である。また、第５のアンテナユニット９０５と第７のアンテナユニット９０７の接地点間の距離はλ／１２であり、第６のアンテナユニット９０６と第８のアンテナユニット９０８の接地点間の距離はλ／１２である。
【００９５】
第１のアンテナユニット９０１の第１のアンテナ分岐の放射方向は、第２のアンテナユニット９０２の第１のアンテナ分岐の放射方向とは逆であり、第１のアンテナユニット９０１の第２のアンテナ分岐の放射方向は、第２のアンテナユニット９０２の第２のアンテナ分岐の放射方向とは逆である。第３のアンテナユニット９０３の第１のアンテナ分岐の放射方向は、第４のアンテナユニット９０４の第１のアンテナ分岐の放射方向とは逆であり、第３のアンテナユニット９０３の第２のアンテナ分岐の放射方向は、第４のアンテナユニット９０４の第２のアンテナ分岐の放射方向とは逆である。第５のアンテナユニット９０５の第１のアンテナ分岐の放射方向は、第６のアンテナユニット９０６の第１のアンテナ分岐の放射方向とは逆であり、第５のアンテナユニット９０５の第２のアンテナ分岐の放射方向は、第６のアンテナユニット９０６の第２のアンテナ分岐の放射方向とは逆である。第７のアンテナユニット９０７の第１のアンテナ分岐の放射方向は、第８のアンテナユニット９０８の第１のアンテナ分岐の放射方向とは逆であり、第７のアンテナユニット９０７の第２のアンテナ分岐の放射方向は、第８のアンテナユニット９０８の第２のアンテナ分岐の放射方向とは逆である。
【００９６】
すなわち、第１のアンテナユニット９０１は第２のアンテナユニット９０２と直交し、第３のアンテナユニット９０３は第４のアンテナユニット９０４と直交し、第５のアンテナユニット９０５は第６のアンテナユニット９０６と直交し、第７のアンテナユニット９０７は、第８のアンテナユニット９０８と直交する。第１のアンテナユニット９０１は第５のアンテナユニット９０５と直交し、第２のアンテナユニット９０２は第６のアンテナユニット９０６と直交し、第３のアンテナユニット９０３は第７のアンテナユニット９０７と直交し、第４のアンテナユニット９０４は、第８のアンテナユニット９０８と直交する。
【００９７】
接地板９１０は各アンテナユニットのクリアランス領域９１８を有する。各アンテナユニットのクリアランス領域９１８は接地板９１０上のアンテナユニットの投影領域にある。
【００９８】
接地板９１０上の各アンテナユニットの投影方向を垂直方向として用い、各アンテナユニットの給電分岐９１５の、アンテナ分岐から遠い境界と、アンテナユニットのクリアランス領域９１８の境界との間の最小水平距離は０である。各アンテナユニットの第１のアンテナ分岐９１３の境界と、アンテナユニットのクリアランス領域９１８の境界との水平距離はλ／５０である。
【００９９】
第５のアンテナユニット９０５と第７のアンテナユニット９０７の接地点間の距離がλ／１２であり、第６のアンテナユニット９０６と第８のアンテナユニット９０８の接地点間の距離がλ／１２である場合、接地板９１０はさらに、第５のアンテナユニット９０５と第７のアンテナユニット９０７との間の分離領域に対応するクリアランス領域と、第５のアンテナユニット９０５と第７のアンテナユニット９０７との間の分離領域に対応するクリアランス領域とを有する。第５のアンテナユニット９０５と第７のアンテナユニット９０７との間の分離領域に対応するクリアランス領域は、第５のアンテナユニット９０５と第７のアンテナユニット９０７との間の分離領域の接地板９１０上の投影領域である。第６のアンテナユニット９０６と第８のアンテナユニット９０８との間の分離領域に対応するクリアランス領域は、第６のアンテナユニット９０６と第８のアンテナユニット９０６との間の分離領域の接地板９１０上の投影領域である。
【０１００】
本実施形態の８ユニットＭＩＭＯアンテナの低減試験により、得られたことは、アンテナユニットの異なる周波数帯域に対応するアンテナ分岐のリターンロスは１０ｄＢ未満であり、異なるアンテナユニットにあり、周波数帯域に対応するアンテナ分岐のアイソレーションはすべて１０ｄＢ未満であり、異なるアンテナユニットに属し、周波数帯域に対応するアンテナ分岐の相関は、アンテナユニットの低周波数帯域に対応するアンテナ分岐の伝送効率が４０％より大きくなるように設定することができ、低周波数帯域に対応するアンテナ分岐の伝送効率は、５０％よりも大きく、さらには７０％よりも大きいことである。したがって、本発明の実施形態４のアンテナのアンテナユニットは、互いに独立し、相互干渉はほとんどなく、アンテナ分岐点の伝送効率が比較的高い。
【０１０１】
本発明の実施形態４で提供されるアンテナについて、上記実施形態のアンテナを具体的に記述するために、８ユニットＭＩＭＯアンテナを提供し、複数の周波数帯域をサポートする８ユニットＭＩＭＯアンテナのアンテナユニット間のカップリングの問題をより良く解決し、それによりアンテナユニット間の干渉を回避する。
【０１０２】
本開示の実施形態５は通信装置をさらに提供する。図１０は、本発明の実施形態５による通信装置を示す模式的構造図である。図１０に示すように、通信装置１０００はアンテナ１００１を含み得る。
【０１０３】
アンテナ１００１は、前述のアンテナの実施形態のいずれのアンテナであってもよい。アンテナ１００１は、複数のアンテナユニットを含むことができる。各アンテナユニットは、複数のアンテナ分岐と、１つの給電分岐とを含む。複数のアンテナ分岐はすべて給電分岐に接続されている。同じアンテナユニットの異なるアンテナ分岐は異なる周波数帯域に対応する。複数のアンテナユニットには少なくとも１つのアンテナユニットペアが存在する。各アンテナユニットペアの２つのアンテナユニット間の距離は第１のプリセット距離より小さい。同じ周波数帯域に対応する各アンテナユニットペアのアンテナ分岐の放射方向は異なる。第１のプリセット距離は異なるアンテナユニット間のプリセット距離である。
【０１０４】
図１１は、本発明の実施形態５による他の通信装置を示す模式的構造図である。任意的に、上記の説明に基づいて、通信装置１０００は、無線周波数処理ユニット１１０１およびベースバンド処理ユニット１１０２をさらに含むことができる。
ベースバンド処理ユニット１１０２は、無線周波数処理ユニット１１０１を用いて給電分岐ユニットに接続される。
【０１０５】
アンテナ１００１は、受信された無線信号を無線周波数処理ユニット１１０１に送信し、または無線周波数処理ユニット１１０１により送信された信号を電磁波に変換し、その電磁波を送出するように構成される。
【０１０６】
無線周波数処理ユニット１１０１は、アンテナ１００１により受信された無線信号に対して周波数選択、増幅、およびダウンコンバージョンを行い、処理された無線信号を中間周波数信号またはベースバンド信号に変換し、中間周波数信号またはベースバンド信号をベースバンド処理ユニット１１０２に送るように構成され、またはベースバンド処理ユニット１１０２により送られたベースバンド信号または中間周波数信号に対してアップコンバージョンおよび増幅を行い、増幅されたベースバンド信号または中間周波数信号を、アンテナ１００１を用いて送出するように構成されている。
【０１０７】
ベースバンド処理ユニット１１０２は、無線周波数処理ユニット１１０１により送られた中間周波数信号またはベースバンド信号を処理するように構成される。
【０１０８】
任意的に、アンテナ１００１はさらに基板を有し、基板は第１の面を有し、複数のアンテナユニットは前記第１の面のエッジ位置にある。
【０１０９】
任意的に、アンテナ１００１はさらに接地板を有し、基板はさらに第２の面を有し、第２の面は前記第１の面に対して平行であり、接地板は第２の面上にあり、給電分岐の一端は給電点を有し、他端は接地点を有し、すべてのアンテナユニットの接地点は接地板に接続される。
【０１１０】
任意的に、接地板は各アンテナユニットのクリアランス領域を有し、各アンテナユニットのクリアランス領域は接地板上のアンテナユニットの投影領域にある。
【０１１１】
任意的に、接地板上の各アンテナユニットの投影方向を垂直方向として用いて、各アンテナユニットの給電分岐の、アンテナ分岐から遠い境界と、アンテナユニットのクリアランス領域の境界との間の最小水平距離は０であり、各アンテナユニットのアンテナ分岐の、給電点に近い境界と、アンテナユニットのクリアランス領域の境界との間の最小水平距離はλ／５０である。
【０１１２】
任意的に、複数のアンテナユニットの２つの隣接するアンテナユニットの接地点間の距離がλ／１２以下である場合、接地板は２つの隣接するアンテナユニットの間の分離領域に対応するクリアランス領域をさらに有し、分離領域に対応するクリアランス領域は、接地板上の分離領域の投影領域である。
【０１１３】
任意的に、第１のプリセット距離はλ／２であり、λは各アンテナユニットに対応する最低周波数帯域の最低周波数に対応する波長である。
【０１１４】
任意的に、各アンテナユニットペアの２つのアンテナユニット間の距離は、λ／４以上λ／２未満である。
【０１１５】
任意的に、同じ周波数帯域に対応する各アンテナユニットペアのアンテナ分岐の放射方向は逆である。
【０１１６】
任意的に、同じアンテナユニットの隣接するアンテナ分岐間の距離が第２のプリセット距離よりも小さい場合、隣接するアンテナ分岐の異なるアンテナ分岐は、さらに、共通の周波数帯域に対応し、共通周波数帯域は、隣接するアンテナ分岐の各アンテナ分岐に対応する周波数帯域とは異なる。第２のプリセット距離は、異なる周波数帯域に対応する同じアンテナユニットのアンテナ分岐に対応するカップリング距離である。
【０１１７】
本発明の実施形態５で提供される通信装置において、アンテナは複数のアンテナユニットを含み、各アンテナユニットは複数のアンテナ分岐を含み、同じアンテナユニットの異なるアンテナ分岐は異なる周波数帯域に対応し、複数のアンテナユニットには少なくとも１つのアンテナユニットペアが存在し、各アンテナユニットペアの２つのアンテナユニット間の距離は第１のプリセット距離より小さく、同じ周波数帯域に対応する各アンテナユニットペアのアンテナ分岐の放射方向は異なる。それゆえ、本発明のこの実施形態によって、アンテナユニット間の干渉を低減し、アンテナユニット間のアイソレーションを高め、アンテナの伝送効率を向上させるように、複数の周波数帯域をサポートするＭＩＭＯアンテナのアンテナユニット間のカップリングを改善して、それにより通信装置の信号伝送効率を向上させることができる。
【０１１８】
最後に、言うまでもなく、上記の実施形態は、本発明を限定するものではなく、本発明の技術的ソリューションを説明することを意図したものである。本発明を上記の実施形態を参照して詳細に説明したが、本技術分野の当業者には言うまでもなく、本発明の実施形態の技術的解決策の範囲から逸脱することなく、上記の実施形態で説明した技術的解決策を修正し、技術的解決策の技術的特徴を等価なもので置き換えることができる。
【図１Ａ】
2019500807.tif 000003
【図１Ｂ】
2019500807.tif 000004
【図２】
2019500807.tif 000005
【図３Ａ】
2019500807.tif 000006
【図３Ｂ】
2019500807.tif 000007
【図４Ａ】
2019500807.tif 000008
【図４Ｂ】
2019500807.tif 000009
【図５Ａ】
2019500807.tif 000010
【図５Ｂ】
2019500807.tif 000011
【図５Ｃ】
2019500807.tif 000012
【図６Ａ】
2019500807.tif 000013
【図６Ｂ】
2019500807.tif 000014
【図７Ａ】
2019500807.tif 000015
【図７Ｂ】
2019500807.tif 000016
【図８Ａ】
2019500807.tif 000017
【図８Ｂ】
2019500807.tif 000018
【図９Ａ】
2019500807.tif 000019
【図９Ｂ】
2019500807.tif 000020
【図１０】
2019500807.tif 000021
【図１１】
2019500807.tif 000022
【手続補正書】
【提出日】平成30年8月2日(2018.8.2)
【手続補正１】
【補正対象書類名】明細書
【補正対象項目名】００８１
【補正方法】変更
【補正の内容】
【００８１】
上記４つのアンテナユニットのうち、第１のアンテナユニット７０１と第２のアンテナユニット７０２の給電点間の距離は、λ／４以上かつλ／２未満である。第３のアンテナユニット７０３と第４のアンテナユニット７０４の給電点間の距離も、λ／４以上かつλ／２未満である。λは、アンテナユニットに対応する最低周波数帯域の最低周波数に対応する波長である。第１のアンテナユニット７０１の第１のアンテナ分岐の放射方向は、第２のアンテナユニット７０２の第１のアンテナ分岐の放射方向とは逆であり、第１のアンテナユニット７０１の第２のアンテナ分岐の放射方向は、第２のアンテナユニット７０２の第２のアンテナ分岐の放射方向とは逆である。第３のアンテナユニット７０３の第１のアンテナ分岐の放射方向は、第４のアンテナユニット７０４の第１のアンテナ分岐の放射方向とは逆であり、第３のアンテナユニット７０３の第２のアンテナ分岐の放射方向は、第４のアンテナユニット７０４の第２のアンテナ分岐の放射方向とは逆である。図７Ａにおいて、第１のアンテナユニット７０１、第２のアンテナユニット７０２、第３のアンテナユニット７０３、及び第４のアンテナユニット７０４の給電分岐は互いに平行である。図７Ａにおいて、第１のアンテナユニット７０１は第３のアンテナユニット７０３と対称であり、第２のアンテナユニット７０２は第４のアンテナユニット７０４と対称である。
【手続補正２】
【補正対象書類名】明細書
【補正対象項目名】００８７
【補正方法】変更
【補正の内容】
【００８７】
第１のアンテナユニット８０１と第２のアンテナユニット８０２の給電点間の距離は、λ／４以上かつλ／２未満である。第３のアンテナユニット８０３と第４のアンテナユニット８０４の給電点間の距離も、λ／４以上かつλ／２未満である。λは、アンテナユニットに対応する最低周波数帯域の最低周波数に対応する波長である。第１のアンテナユニット８０１の第１のアンテナ分岐の放射方向は、第２のアンテナユニット８０２の第１のアンテナ分岐の放射方向とは異なり、第１のアンテナユニット８０１の第２のアンテナ分岐の放射方向は、第２のアンテナユニット８０２の第２のアンテナ分岐の放射方向とは異なる。第３のアンテナユニット８０３の第１のアンテナ分岐の放射方向は、第４のアンテナユニット８０４の第１のアンテナ分岐の放射方向とは逆であり異なり、第３のアンテナユニット８０３の第２のアンテナ分岐の放射方向は、第４のアンテナユニット８０４の第２のアンテナ分岐の放射方向とは逆であり異なる。第１のアンテナユニット８０１、第２のアンテナユニット８０２、第３のアンテナユニット８０３、第４のアンテナユニット８０４の隣接するアンテナユニットの給電分岐は互いに直交している。
【手続補正３】
【補正対象書類名】明細書
【補正対象項目名】００９２
【補正方法】変更
【補正の内容】
【００９２】
アンテナユニットは全て基板９０９の第１の面９１１上に置かれる。第１のアンテナユニット９０１、第２のアンテナユニット９０２、第３のアンテナユニット９０３及び第４のアンテナユニット９０４は、基板９０９の第１の面９１１の４つの頂点位置にそれぞれ位置する。第５のアンテナユニット９０５及び第７のアンテナユニットは第１の面９１１のエッジ位置に位置し、第１のアンテナユニット９０１および第２のアンテナユニット９０２と同じ側に位置している。第６のアンテナユニット９０６及び第８のアンテナユニット９０８は、第１の面９１１のエッジ位置に位置し、第２のアンテナユニット９０２および第４のアンテナユニット９０４と同じ側にある。
【手続補正４】
【補正対象書類名】明細書
【補正対象項目名】００９９
【補正方法】変更
【補正の内容】
【００９９】
第５のアンテナユニット９０５と第７のアンテナユニット９０７の接地点間の距離がλ／１２であり、第６のアンテナユニット９０６と第８のアンテナユニット９０８の接地点間の距離がλ／１２である場合、接地板９１０はさらに、第５のアンテナユニット９０５と第７のアンテナユニット９０７との間の分離領域に対応するクリアランス領域を有する。第５のアンテナユニット９０５と第７のアンテナユニット９０７との間の分離領域に対応するクリアランス領域は、第５のアンテナユニット９０５と第７のアンテナユニット９０７との間の分離領域の接地板９１０上の投影領域である。第６のアンテナユニット９０６と第８のアンテナユニット９０８との間の分離領域に対応するクリアランス領域は、第６のアンテナユニット９０６と第８のアンテナユニット９０６との間の分離領域の接地板９１０上の投影領域である。
【国際調査報告】
2019500807.tif 000023
2019500807.tif 000024
2019500807.tif 000025
2019500807.tif 000026